(57)【要約】【課題】クランプカバーと耐張碍子との間の隙間に金属製の長尺物を差し込まれないようにして鳥により発生する短絡事故を未然に防止するようにした耐張碍子用の鳥害防止カバーを提供する。【解決手段】合成樹脂材、合成ゴム等の非導電性の材質からなり、耐張碍子Ｈの一側端面であって引留めクランプＴと対向する面に成形された同心円状の複数の円環状凸部ｈ１，ｈ２間に嵌る外径を有すると共に中心軸線方向の両端面が開放され下端部がその中心軸線と平行な線に沿って分離２される短筒状のカバー本体１と、前記カバー本体１の内周面に周設され内端縁から外側へ伸びる切り込み５を設けた環状フランジ部４と、前記カバー本体１の下端部における分離部２の両側からそれぞれ下方へ延設される一対の連結片部６ａ，６ｂと、前記両連結片部６ａ，６ｂに設けられ互いに係脱自在に係合する係合部７及び非係合部８と、からなる。【選択図】図６
2008199742.tif 000002
【特許請求の範囲】
【請求項１】
合成樹脂材、合成ゴム等の非導電性の材質からなり、耐張碍子の一側端面であって引留めクランプと対向する面に形成された同心円状の複数の円環状凸部間に嵌る外径を有すると共に中心軸線方向の両端面が開放され下端部がその中心軸線と平行な線に沿って分離される短筒状のカバー本体と、前記カバー本体の内周面に周設され内端縁から外側へ伸びる切り込みを設けた環状フランジ部と、前記カバー本体の下端部における分離部の両側からそれぞれ下方へ延設される一対の連結片部と、前記両連結片部に設けられ互いに係脱自在に係合する係合部及び非係合部と、からなることを特徴とする耐張碍子用の鳥害防止カバー。
【請求項２】
前記カバー本体の内周面に、前記耐張碍子の中心から延出する金属ロッドの周囲を囲う弾性部材を配置した請求項１記載の耐張碍子用の鳥害防止カバー。
【請求項３】
前記カバー本体の外周面に、間接活線工具により挟着するための支持片を設けた請求項１又は２記載の耐張碍子用の鳥害防止カバー。
【発明の詳細な説明】
【技術分野】
【０００１】
本発明は、電柱上部に配設される耐張碍子とこれと隣接して連結される引留めクランプのクランプカバーとの間の隙間に鳥が金属線などの棒状物を差し込んで起こる短絡事故を未然に防止するようにした耐張碍子用の鳥害防止カバーに関するものである。
【背景技術】
【０００２】
従来、電柱上部の装柱工事では、電柱の両側に設置される電線の端部を接続するため、電柱上部の腕金の両側に各電線の端部に向けて耐張碍子を配置し、該各耐張碍子の中心から延出される金属ロッドの先端に引留めクランプを介して各電線の端部を接続している。また、引留めクランプには該引留めクランプ用のクランプカバーが被着される。なお、電柱を挟んだ左右の両引留めクランプの間には縁回し電線が接続される（例えば、特許文献１参照）。
【特許文献１】特開平６−３５１１３６号公報（第２−３頁、図８）
【発明の開示】
【発明が解決しようとする課題】
【０００３】
前記特許文献１の構成にあっては、安全上引留めクランプを合成樹脂製のクランプカバーにより被覆するようにしているが、前記クランプカバーと耐張碍子との間には、該耐張碍子の中心の金属ロッドが外部に露出する僅かな隙間が残っている。そこで、例えば烏など鳥が柱上で営巣するために飛来し、しかも、ハンガーなどの金属製の長尺物を運んできた場合、該長尺物の一端が前記僅かな隙間から差し込まれ耐張碍子の中心の金属ロッドに接触して短絡事故を起こしてしまうことがあった。
【０００４】
そこで、本発明は上記課題に鑑みてなされたもので、クランプカバーと耐張碍子との間の隙間に金属製の長尺物を差し込まれないようにして鳥により発生する短絡事故を未然に防止するようにした耐張碍子用の鳥害防止カバーを提供することを目的とするものである。
【課題を解決するための手段】
【０００５】
かかる目的を達成するため本発明に係る耐張碍子用の鳥害防止カバーは、合成樹脂材、合成ゴム等の非導電性の材質からなり、耐張碍子の一側端面であって引留めクランプと対向する面に成形された同心円状の複数の円環状凸部間に嵌る外径を有すると共に中心軸線方向の両端面が開放され下端部がその中心軸線と平行な線に沿って分離される短筒状のカバー本体と、前記カバー本体の内周面に周設され内端縁から外側へ伸びる切り込みを設けた環状フランジ部と、前記カバー本体の下端部における分離部の両側からそれぞれ下方へ延設される一対の連結片部と、前記両連結片部に設けられ互いに係脱自在に係合する係合部及び非係合部と、からなることを特徴とする。
【０００６】
この際、前記カバー本体の内周面に、前記耐張碍子の中心から延出する金属ロッドの周囲を囲う弾性部材を配置することが好ましい。
【０００７】
また、前記カバー本体の外周面に、間接活線工具により挟着するための支持片を設けることが好ましい。
【発明の効果】
【０００８】
本発明に係る耐張碍子用の鳥害防止カバーは、短筒状に成形されると共に耐張碍子の一側端面であって引留めクランプと対向する面に成形された同心円状の複数の円環状凸部間に嵌る外径を有し、内周面には環状フランジ部を周設してなるので、耐張碍子用の鳥害防止カバーをクランプカバーと耐張碍子との間の隙間に嵌め込んで取り付けることにより、耐張碍子の中心から延出される金属ロッドを完全に覆うことができる。よって、営巣のため鳥の運んできた金属製の長尺物が前記隙間に差し込まれる余地がなくなり、これによって鳥による短絡事故が未然に防止できるという有益な効果がある。
【０００９】
また、カバー本体の内周面に、耐張碍子の中心から延出する金属ロッドの周囲を囲う弾性部材を配置することにより、金属ロッド部位に対する密閉性が高まり、前記短絡事故を未然に防止できるという効果が一層高められる。
【００１０】
また、外周面に間接活線工具により挟着するための支持片を設けることにより、間接活線工具が使用でき、電線に電流を通したままでも耐張碍子用の鳥害防止カバーの取付作業ができることから、一定区間電流を遮断する必要がなく、その周囲の家屋に迷惑を掛けずに済むという効果がある。
【発明を実施するための最良の形態】
【００１１】
以下、本発明に係る耐張碍子用の鳥害防止カバー（以下、単に「鳥害防止カバー」という。）の実施の形態を図面に基づき詳しく説明する。図１は本発明に係る鳥害防止カバーと弾性部材の前から見た斜視図、図２は鳥害防止カバーの後から見た斜視図、図３は同正面断面図である。鳥害防止カバーＡは、合成樹脂材や合成ゴム等の非導電性の材質により成形されるが、好ましくは難燃性のものが選択される。例えば、本発明にあっては難燃性のポリエチレンにより短筒状に成形される。また、鳥害防止カバーＡは、後記する耐張碍子Ｈの一側端面であって引留めクランプＴと対向する面に成形された同心円状の大・小径の円環状凸部ｈ１，ｈ２間の環状凹溝ｈ３に嵌る外径を有する。
【００１２】
そして、鳥害防止カバーＡは、中心軸線方向の両端面が開放されると共に下端部がその中心軸線と平行な線に沿って分離され分離部２が形成されるカバー本体１を有する。該カバー本体１の内周面における中心軸線方向でのほぼ中間位置に、その中央部に挿通孔３を残して環状フランジ部４が一体に設けられる。該挿通孔３は、耐張碍子Ｈの金属ロッドｈ４の外径よりもやや大きい内径を有する。該環状フランジ部４は、前記分離部２と対応する位置が該分離部２と連なるようにして切断されており、内端縁には挿通孔３と連通しかつ外側へ放射線状に伸びる複数本の切り込み５が設けられている。これは、鳥害防止カバーＡを取り付ける際に分離部２を開くことになるが、これに伴いカバー本体１や環状フランジ部４を開き易くし、その開閉動作がスムーズに行なえるようにするためである。
【００１３】
カバー本体１の下端部における分離部２の両側からそれぞれ下方へ延出する一対の連結片部６ａ，６ｂが設けられる。この内、一方の連結片部６ａの対向面に、先端が矢じり状に尖った係止爪７ａを有する係合部としての係止突起７が突設される。これに対し、他方の連結片部６ｂの対向面には、互いに圧接したとき係止突起７の係止爪７ａが嵌脱自在に嵌合する非係合部としての係合孔８が設けられている。いずれの連結片部６ａ，６ｂもそれら周縁には補強用のリブ９ａ，９ｂが突出して設けられている。１０は、カバー本体１の分離部２において該分離部２を閉じたときその一方の縁から他方の縁へ覆うようにして突設される張出片部である。
【００１４】
カバー本体１の外周面であって分離部２を挟んだ両側には、それぞれ間接活線工具（図示せず。）を使用して鳥害防止カバーＡを取り付ける場合、間接活線工具により挟着するための支持片１１，１１が設けられている。両支持片１１，１１は、挟持して取り付け易いように鳥害防止カバーＡを正面から見て略ハの字となる位置に配置されている。
【００１５】
図１において、１２はカバー本体１の内周面に接着して配置される弾性部材であり、発泡させた合成樹脂または合成ゴムから成形され、本発明にあっては、例えば発泡させた独立気泡の合成ゴムが選択される。この弾性部材はスポンジ状であって断面方形状かつ棒状に成形され、周側面の内の一側面に離型紙１３に覆われた接着剤層１４が設けられている。また、この弾性部材１２は、短絡事故が起きないようにするための安全性を一層高めたい場合に使用されるが、本来、弾性部材１２を使用しなくても本発明の目的は十分に達成できる。
【００１６】
本発明に係る鳥害防止カバーＡは上記構成からなり、次に、その取り付け方法および取り付けた状態を説明する。図４は本発明に係る鳥害防止カバーの使用状態を示す電柱上部の正面図、図５は同要部の拡大斜視図、図６は同要部の拡大正面断面図である。図中、Ｄは電柱であり、該電柱Ｄの一側に腕金である高圧直付金具Ｋがほぼ水平に設けられ、該高圧直付金具Ｋの両側にそれぞれ２個ずつ耐張碍子Ｈ，Ｈが連結して配置される。また、電柱Ｄを挟んだ左右両側に電線Ｗ，Ｗが設置され、これら電線Ｗ，Ｗの端部と前記両側の耐張碍子Ｈ，Ｈはそれぞれ引留めクランプＴ，Ｔによって接続される。また、引留めクランプＴ，Ｔには、合成樹脂製のクランプカバーＣが被着される。この内、耐張碍子Ｈから延出される金属ロッドｈ４の一部もクランプカバーＣによって被覆される。
【００１７】
そこで、鳥害防止カバーＡを取り付ける前に、クランプカバーＣ側に位置するカバー本体１の内周面に剥型紙１３を剥した接着剤層１４を押し当てるようにして弾性部材１２を装着して配置する。この際、弾性部材１２の長手方向における両端は、分離部２に対応するようにしておく。これにより、挿通孔３の周囲が弾性部材１２により覆われる。
【００１８】
次に、分離部２を開いて鳥害防止カバーＡをクランプカバーＣと耐張碍子Ｈとの間の隙間に上から嵌め込み、耐張碍子Ｈの端面の環状凹溝ｈ３にカバー本体１の周縁が嵌まり込むようにして金属ロッドｈ４に被せる。このとき、弾性部材１１はクランプカバーＣ側に位置する。そして、両連結片部６ａ，６ｂを両側から挟んで係合孔８に係合突起７を係合させることにより、図５、図６に示すように鳥害防止カバーＡが取り付けられる。
【００１９】
間接活線工具を使用して鳥害防止カバーＡを取り付ける場合は、間接活線工具の先端でカバー本体１の外周面に設けられた支持片１１を挟着し、前記と同様にして鳥害防止カバーＡをクランプカバーＣと耐張碍子Ｈとの間の隙間に上から嵌め込み、耐張碍子Ｈの端面の環状凹溝ｈ３にカバー本体１の周縁が嵌まり込むようにして金属ロッドｈ４に被せる。また、間接活線工具によって両連結片部６ａ，６ｂを両側から挟むことにより、係合孔８に係合突起７が係合して鳥害防止カバーＡが取り付けられる。
【００２０】
このように、本発明に係る鳥害防止カバーＡはクランプカバーＣと耐張碍子Ｈとの間の隙間に嵌めることにより、耐張碍子Ｈの中心から延出される金属ロッドｈ４を完全に覆うことができる。これによって、営巣のため鳥が運んできた金属製の長尺物がその隙間に差し込まれようとしても、鳥害防止カバーＡ内の環状フランジ部４または弾性部材１２によりその進入が遮られて入る余地がなくなり、従来のような短絡事故が未然に防止できる。
鳥害防止カバーＡ内に弾性部材１２を装着するようにすれば、短絡事故を未然に防止できるという効果が一層高められる。
【図面の簡単な説明】
【００２１】
【図１】本発明に係る鳥害防止カバーと弾性部材の前から見た斜視図。
【図２】鳥害防止カバーの後から見た斜視図。
【図３】同正面断面図。
【図４】同使用状態を示す電柱上部の正面図。
【図５】同要部の拡大斜視図。
【図６】同要部の拡大正面断面図。
【符号の説明】
【００２２】
１            カバー本体
２            分離部
４            環状フランジ部
５            切り込み
６ａ          連結片部
６ｂ          連結片部
７            係合部（係止突起）
８            非係合部（係合孔）
１１          支持片
１２          弾性部材
Ａ            鳥害防止カバー
Ｈ            耐張碍子
ｈ１          大径の円環状凸部
ｈ２          小径の円環状凸部
ｈ４          金属ロッド
Ｔ            引留めクランプ
【図１】
2008199742.tif 000003
【図２】
2008199742.tif 000004
【図３】
2008199742.tif 000005
【図４】
2008199742.tif 000006
【図５】
2008199742.tif 000007
【図６】
2008199742.tif 000008